(57)【特許請求の範囲】
【請求項１】
バックワイヤリングボード側コネクタが実装してあるバックワイヤリングボードを有する箱形状のサブラック装置内に挿入されてプラグインユニット側コネクタを上記バックワイヤリングボード側コネクタと接続されて実装されるプラグインユニットにおいて、
内部に空間部を有するフロント部材の内部の空間部に、回動可能に支持されており、且つ、外部の設備に向かう光ファイバ端のプラグを接続する第１コネクタと、該第１コネクタの反対側に、光電変換モジュールからの光ファイバ端のプラグを接続する第２コネクタとを有する接続用アダプタが保持されているアダプタ保持回動部材が設けてあり、
アダプタ保持回動部材は、接続用アダプタの上記第１コネクタが下を向いて該フロント部材の内部の空間部に収まっている位置と、接続用アダプタが該フロント部材より前側に突き出し、且つ、斜め下を向いた位置との間で回動する構成であり、
上記プラグインユニットが有する上記光電変換モジュールから延びている光ファイバの先端のプラグが上記接続用アダプタの上を向いている上記第２コネクタに接続してある構成としたプラグインユニット。
【発明の詳細な説明】
【技術分野】
【０００１】
本発明はサブラック装置内に挿入されて実装されるプラグインユニットに関する。
【０００２】
近年の通信の重要性に伴って、通信局舎内に設置される通信装置の品質の向上が求められている。通信装置の品質としては、ＥＭＩが十分に低いこと、例えば北米で採用されているＦＣＣ．ｐａｒｔ１８の規格を満足するものであることを有すること等がある。
【背景技術】
【０００３】
一般に、通信装置は、ラックに取り付けられるサブラック内に複数のプラグインユニットが並んで実装された構造である。
【０００４】
従来は、プラグインユニットがされたサブラックの前側にカバーをしてＥＭＩ対策が採られていた。これは、実装されているプラグインユニットから放射されている電磁妨害雑音をまとめてシールドするという構成である。
【発明の概要】
【発明が解決しようとする課題】
【０００５】
この構成では、外部の設備から延びている光ファイバの先端のプラグをアダプタに接続する作業を、作業者の目にレーザ光が入らない状態、即ち、作業者の目を保護して行うことに関して不十分である虞れがあった。
【０００６】
そこで、本発明は、上記課題を解決したプラグインユニットを提供することを目的とする。
【課題を解決するための手段】
【０００７】
開示の技術は、バックワイヤリングボード側コネクタが実装してあるバックワイヤリングボードを有する箱形状のサブラック装置内に挿入されてプラグインユニット側コネクタを上記バックワイヤリングボード側コネクタと接続されて実装されるプラグインユニットにおいて、
内部に空間部を有するフロント部材の内部の空間部に、回動可能に支持されており、且つ、外部の設備に向かう光ファイバ端のプラグを接続する第１コネクタと、該第１コネクタの反対側に、光電変換モジュールからの光ファイバ端のプラグを接続する第２コネクタとを有する接続用アダプタが保持されているアダプタ保持回動部材が設けてあり、
アダプタ保持回動部材は、接続用アダプタの上記第１コネクタが下を向いて該フロント部材の内部の空間部に収まっている位置と、接続用アダプタが該フロント部材より前側に突き出し、且つ、斜め下を向いた位置との間で回動する構成であり、
上記プラグインユニットが有する上記光電変換モジュールから延びている光ファイバの先端のプラグが上記接続用アダプタの上を向いている上記第２コネクタに接続してある構成としたものである。
【発明の効果】
【０００８】
外部の設備から延びている光ファイバの先端のプラグをアダプタに接続する作業を、作業者の目にレーザ光が入らない状態、即ち、作業者の目を保護して行うことが出来る構成のプラグインユニットを実現することが出来る。
【０００９】
通常より多い４つの接続用アダプタを備えることが可能である。通常は二つ程度である。
【図面の簡単な説明】
【００１０】
【図１】本発明の一実施例になる通信装置をプラグインユニットとサブラック装置とを対応させて示す斜視図である。
【図２】サブラック装置の分解斜視図である。
【図３】空気溜め部屋形成部材を示す図である。
【図４】通信用プラグインユニットを分解して示す図である。
【図５】プラグインユニット本体を示す図である。
【図６】プリント板組立体を示す図である。
【図７】フロント部材を裏面側からみた図である。
【図８】ケース組立体を示す図である。
【図９】通信用プラグインユニットを実装したときの状態を示す図である。
【図１０】ケース組立体の上部のリング状シールド部材をバックワイヤリングボード用枠板と対応させて示す図である。
【図１１】通信用プラグインユニットが実装された状態における、リング状シールド部材のバックワイヤリングボード用枠板への押し当たり状態を示す図である。
【図１２】通信用プラグインユニットのプリント板とケースとの関係を示す図である。
【図１３】カードレバー組立体を操作したときの力の発生及び作用を説明する図である。
【図１４】通信用プラグインユニットの誤実装防止を説明する図である。
【図１５】光電変換モジュールを備えた通信用プラグインユニットのフロント組立体の構造を示す図である。
【図１６】図１５のフロント組立体の構造を示す図である。
【図１７】光電変換モジュールを備えた通信用プラグインユニットを実装するときの操作を説明する図である。
【図１８】光電変換モジュールを備えた通信用プラグインユニットがサブラック装置に実装されたときの状態を説明する図である。
【図１９】モータファンプラグインユニットの分解斜視図である。
【図２０】モータファンプラグインユニットを示す図である。
【図２１】モータファンプラグインユニットが実装された状態を示す図である。
【図２２】強制空冷の状態を示す図である。
【図２３】フィラーユニットを示す図である。
【図２４】カードレバー組立体を示す図である。
【図２５】プラグインユニットを実装するときのカードレバー組立体の操作及び動作を説明する図である。
【図２６】プラグインユニットを抜き出すときのカードレバー組立体の操作及び動作を説明する図である。
【発明を実施するための形態】
【００１１】
以下、発明を実施するための形態について説明する。
【実施例】
【００１２】
図１は本発明の一実施例になる通信装置１０を、プラグインユニットをサブラック装置１１と対向させてサブラック装置１１の外側に位置させて示す。通信装置１０はサブラック装置１１をラックの左右の柱（図示せず）に取付けられて、電話局内に設置されている。Ｘ軸は通信装置１０の幅方向、Ｙ軸は奥行き方向、Ｚ軸は高さ方向である。
【００１３】
〔通信装置１０の概略構成〕
通信装置１０は、サブラック装置１１と、これに前面側からＹ１方向に挿入されて実装されている、標準サイズの通信用プラグインユニット４０、標準サイズであり光電気変換モジュール１２１を有する通信用プラグインユニット１２０、フィラープラグインユニット１６０、小さいサイズの通信用プラグインユニット２００、及びモータファンプラグインユニット１４０等よりなる構成である。
【００１４】
小さいサイズの通信用プラグインユニット２００は、ガイドレール部材１２に支持されている。フィラープラグインユニット１６０は、サブラック装置１１内のうち通信用プラグインユニット４０等が実装されないで空き空間となっている部分を埋めている。モータファンプラグインユニット１４０は、サブラック装置１１の下部のモータファンプラグインユニット収容部１３内に実装される。通信用プラグインユニット４０、１２０，２００等は、モータファンプラグインユニット１４０が発生する上向きの空気流によって強制空冷される。
【００１５】
〔サブラック装置１１の構成〕
サブラック装置１１は、図１及び図２に示すように、四角箱部１５の背面側に、バックワイヤリングボード用枠板１６、バックワイヤリングボード１７、バックワイヤリングボード反り防止枠１８、背面カバー１９が順次重ねてある構成である。
【００１６】
四角箱部１５は、天板２０と下板２１とを有する。天板２０及び下板２１は、共に通信用プラグインユニット４０を支持案内するガイドレール部２０ａ、２１ａが並んでいる構造である。各ガイドレール部２０ａ、２１ａには、強制空冷のための空気流が通る開口２０ｂ，２１ｂが形成してある。下側のガイドレール部２１ａのＹ２方向端側には、切欠２１ｃが形成してある。この切欠２１ｃは、通信用プラグインユニットを上下逆の向きで実装しようとする誤挿入を防止するため、及び、光ファイバを通すために形成してある。下板２１の下側には、図３に示す箱形状の空気溜め部屋形成部材２２が取り付けてあり、下板２１の全体をカバーする空気溜め部屋２３が形成されている。空気溜め部屋形成部材２２は、その底面に、モータファンプラグインユニット１４０に対応した開口２２ａが形成してある。この空気溜め部屋形成部材２２の下側にモータファンプラグインユニット収容部１３が形成してある。空気溜め部屋形成部材２２のＹ２側に、光ファイバを導く光ファイバ用ダクト２４がＸ方向に延びて形成してある。光ファイバ用ダクト２４の一部に、通信装置１０の状態を表示する表示機器２５が設けてある。また、開閉蓋２６が設けてあり、通常は、図２に示すように、光ファイバ用ダクト２４は前側を蓋２６によって閉じられている。
【００１７】
バックワイヤリングボード用枠板１６は、アルミニウムダイキャスト製であり、四角枠部１６ａと、Ｘ１，Ｘ２方向に並んでいるＺ１，Ｚ２方向に長い多数のリブ１６ｂと、Ｚ１側の横リブ部１６ｃと、Ｚ２側の横リブ部１６ｄとを有する。隣り合うリブ１６ｂ１、１６ｂ２が対をなす。横リブ部１６ｃ、１６ｄは、対をなすリブ１６ｂ１、１６ｂ２の間をつないでいる。リブ１６ｂ１、１６ｂ２及び横リブ部１６ｃ、１６ｄで囲まれる部分には、細長い開口１６ｅが形成されている。また、対をなすリブ１６ｂ１、１６ｂ２は、ガイドレール部２０ａ、２１ａと一致している。
【００１８】
また、バックワイヤリングボード用枠板１６には、ガイドレール部材１２が、その基部を対をなすリブ１６ｂ１、１６ｂ２の間に嵌合されて固定されて、Ｙ２方向に突き出してＸ方向に並んで固定してある。ガイドレール部材１２は、小型の通信用プラグインユニット７０を実装する場合に設けてある。
【００１９】
バックワイヤリングボード１７には、その前側の面に、多数のコネクタ３０がＺ方向に整列して、且つ、Ｘ方向に並んで取り付けてある。各コネクタ３０は、バックワイヤリングボード用枠板１６の細長い開口１６ｅ内に位置している。
【００２０】
〔通信用プラグインユニット４０の概略の構成〕
通信用プラグインユニット４０は、図４に示すように、プラグインユニット本体４１と、このプラグインユニット本体４１を包み込むように覆うケース組立体４２とよりなる構成である。
【００２１】
図５はプラグインユニット本体４０を示す。プラグインユニット本体４０は、図７に示すアルミニウムダイキャスト製のフロント部材４３と、プリント板組立体４４と、フロント部材４３の上下端からＹ１方向に延在して設けてある上下の水平アーム組立体４６，４７と、上下の端を上下の水平アーム組立体４６，４７のＹ１方向の端に連結されて上下の水平アーム組立体４６，４７の間に架設してある垂直柱組立体４８、４９とを有する構成である。フロント部材４３と、上下の水平アーム組立体４６，４７と、垂直柱組立体４８、４９とが、矩形の枠体４５を構成する。この枠体４５内に、プリント板組立体４４が収まっている。
【００２２】
プリント板組立体４４は、図６に示すように、Ｙ１方向側の辺５０ａとＹ２方向側の辺５０ｂと上側の辺５０ｃと下側の辺５０ｄとを有する矩形のプリント板５０を有し、且つ、このプリント板５０の面に電子部品（図示せず）が電子回路を構成するように実装してあり、且つ、プリント板５０の面の中央に過剰反り防止のためのブッシング５４が複数立てて固定してあり、且つ、プリント板５０のＹ１方向側の辺５０ａに沿って複数のコネクタ５１が実装してある構成である。プリント板５０は、上側の辺５０ｃに三つの切欠部５０ｃ１、５０ｃ２、５０ｃ３を有し、下側の辺５０ｄに三つの切欠部５０ｄ１、５０ｄ２、５０ｄ３を有し、且つ、Ｙ１方向側の辺５０ａの近くに複数の貫通穴５０ｅがＺ方向に並んで形成してある。
【００２３】
フロント部材４３は、図７に示すように、裏側から見て内部が空間４３ａである箱形状であり、底の部分の中央に一対の凸部４３ｂ１，４３ｂ２を有し、底の部分の上下端にＹ２方向に向かってＶ字形状の凹溝部４３ｄ、４３ｅを有する。一対の凸部４３ｂ１，４３ｂ２の間には、溝部４３ｃが形成してある。また、フロント部材４３の上下にはカードレバー組立体５２、５３が取り付けてある。
【００２４】
上側の水平アーム組立体４６は、二つアーム部材５５、５６がピン５７，５８、５９によって連結されている梯子状の構成である。下側の水平アーム組立体４７は、上側の水平アーム組立体４６と同じく、二つアーム部材６０、６１がピン６２，６３、６４によって連結されている梯子状の構成である。水平アーム組立体４６、４７は、Ｙ２方向端をフロント部材４３の上下端にねじ止めしてある。
【００２５】
垂直柱組立体４８は、金属製の柱部材７０と、この外側に熱かしめで固定してある絶縁性であり合成樹脂製のカバー部材７１とよりなる。別の垂直柱組立体４９も、金属製の柱部材７２と、この外側に熱かしめで固定してある絶縁性であり合成樹脂製のカバー部材７３とよりなる。
【００２６】
垂直柱組立体４８、４９は、上下端を、上記のピン５９、６４によって、水平アーム組立体４６、４７の先端部に固定してあり、水平アーム組立体４６、４７の先端部の間にＺ方向に架設してあり、プリント板５０の各面に対向している。コネクタ５１は、垂直柱組立体４８、４９より、Ｙ１側に位置している。
【００２７】
図４及び図８に示すように、ケース組立体４２は、Ｚ軸方向に長い偏平な直方体状の筒体であるアルミニウム製のケース８０を有する。ケース８０は、２つの側板８１、８２と、天板８３及び底板８４とよりなる。天板８３及び底板８４には、電磁波の漏れ制限フィルタが嵌合する開口が形成してある。ケース８０はＹ２方向端にＺ軸方向に長い長方形の開口８５を有し、この開口８５に臨む端部分８１ａ、８２ａ、８３ａ，８４ａを有する。天板８３の下面及び底板８４の上面には、開口に嵌合させて夫々電磁波の漏れ制限フィルタ８６、８７が組み込まれている。天板８３の上面及び底板８４の下面には、夫々スライダ部材８８、８９が取り付けてある。
【００２８】
ケース組立体４２は、スライダ部材８８、８９のＹ２方向端をフロント部材４３の上下面にねじ止めされて取り付けてあり、図１に示すように、プリント板組立体４４を包み込んでいる。コネクタ５１の先端部はケース組立体４２よりＹ１側に露出している。プリント板組立体４４のＹ２方向端側の部分は、フロント部材４３の内部に収まっている。即ち、プリント板組立体４４は、ケース組立体４２とフロント部材４３とによって、包み込まれており、通信用プラグインユニット４０は、それ自体で電磁波が外部へ漏洩することが制限されている構造となっている。
【００２９】
上記構成の通信用プラグインユニット４０は、スライダ部材８８、８７を夫々ガイドレール部２１ａ、２０ａに案内させて滑らせて、サブラック装置１１内に挿入され、最後にカードレバー組立体５２、５３を操作することによって、コネクタ５１がコネクタ３０に接続される。
【００３０】
また。ケース８０のＹ１方向の端部がバックワイヤリングボード用枠板１６に押し当たった状態となり（図１９（Ｂ）参照）、ケース８０は、バックワイヤリングボード用枠板１６→サブラック本体１１→ラック（図示せず）を経てグランドに電気的に接続してあり、フレームグランド電位となっている。このように、ケース８０及びフロント部材４３が、プリント板組立体４４全体を包み込んでおり、且つフレームグランド電位となっていることによって、プリント板組立体４４上の電子回路から放射される電磁波は、ケース８０及びフロント部材４３によって遮蔽され、通信用プラグインユニット４０単位で電磁波が外部へ漏洩することが制限されている。よって、通信装置１０から電磁波が外部へ漏洩することが効果的に制限されている。また、通信用プラグインユニット４０単位で電磁波が外部へ漏洩することが制限されているため、サブラック装置１１内に実装されている通信用プラグインユニット４０の間でも電磁波の相互干渉の発生が回避されている。
【００３１】
図１中、他の通信用プラグインユニット２００は、高さ寸法が上記の通信用プラグインユニット４０の半分である以外は、上記の通信用プラグインユニット４０と同じ構造であり、サブラック装置１１内に実装されると電磁波の外部への漏洩が制限された状態となる。通信用プラグインユニット１２０は、光電気変換モジュール１２１を備えたことに関連する部分以外は、上記の通信用プラグインユニット４０と同じ構造であり、サブラック装置１１内に実装されると電磁波の外部への漏洩が制限された状態となる。
【００３２】
〔通信装置１０のＥＭＩ対策を強化した構成〕
（１）  図４、図８、図９（Ａ）に示すように、ケース８０の側板８１、８２のうちＹ１方向の端部分８１ａ、８２ａの内側面には、Ｚ方向に細長い板ばね部材１０１，１０２が溶接して固定してある。この板ばね部材１０１，１０２は、Ｖ字形状に曲げてある多数の板ばね片１０１ａ，１０２ａが、密に、Ｚ方向に側板８１、８２の全長に亘って並んでいる構成である。Ｖ字形状の板ばね片１０１ａ，１０２ａの頂上部が、垂直柱組立体４８、４９に当接している。
【００３３】
垂直柱組立体４８、４９は、柱部材７０、７２が金属製であること、及びＺ方向上複数の箇所で連結してあることによって、Ｘ方向に強い強度を有しており、上記板ばね片１０１ａ，１０２ａのバネ力を作用されても撓まない。上記の連結は、カバー部材７３より突き出ている段突きピン部７３ａがプリント板５０の貫通穴５０ｅを通ってカバー部材７１より突き出ている柱部７１ａの穴７１ｂの底に突き当たるまで嵌合してなされている。
【００３４】
通信用プラグインユニット４０は、図９（Ａ）の状態から、図９（Ｂ）の状態となって実装される。ケース８０の側板８１、８２のうちＹ１方向の端部分８１ａ、８２ａは、少しすぼまされて、対をなすリブ１６ｂ１、１６ｂ２の間に入り込む。このすぼみの動作に伴って、板ばね片１０１ａ，１０２ａが撓まされ、板ばね片１０１ａ，１０２ａが側板８１、８２に広げる方向の力Ｆ１、Ｆ２を発生する。よって、ケース８０の側板８１、８２の端部分８１ａ、８２ａは、夫々側板８１、８２自体のばね力に加えて、板ばね片１０１ａ，１０２ａの力Ｆ１、Ｆ２によってリブ１６ｂ１、１６ｂ２に押し付けられる。よって、ケース８０の側板８１、８２自体のばね力に依存している構造に比べて、端部分８１ａ、８２ａのリブ１６ｂ１、１６ｂ２の対向する面への接触が確実になされる。この結果、低い周波数の電磁妨害雑音に対しては勿論、例えば１０ＧＨｚ程度の高い周波数の電磁妨害雑音に対してもシールド効果を発揮する。
【００３５】
（２）  図８及び図９に示すように、リング形状を有し且つブラシのような弾力性を有するシールド部材１０５、１０６が、ケース組立体４２の天板８３及び底板８４にＹ１方向端よりＹ１方向に突き出して設けてある。シールド部材１０５は、その内周側の二箇所を支持されて、スライダ部材８８と天板８３との狭い空間に設けてある。別のシールド部材１０６は、シールド部材１０５と同じく、その内周側の二箇所を支持されて、スライダ部材８９と底板８４との狭い空間に設けてある。
【００３６】
通信用プラグインユニット４０が実装されると、図１１に拡大して示すように、シールド部材１０５は横リブ部１６ｃとリブ１６ｂ１、１６ｂ２とに当たり、横リブ部１６ｃとリブ１６ｂ１、１６ｂ２に沿うように弾性変形され、シールド部材１０５はそれ自身の弾性力によって、横リブ部１６ｃの先端面とリブ１６ｂ１、１６ｂ２とに押し当たる。同じく、シールド部材１０６は横リブ部１６ｄの先端面とリブ１６ｂ１、１６ｂ２とに押し当たる。
【００３７】
よって、ケース組立体４２の天板８３及び底板８４とバックワイヤリングボード用枠板１６の間の部分が確実にシールドされる。
【００３８】
〔通信装置１０の組立て誤差を考慮したＥＭＩ対策構造〕
通信用プラグインユニット４０は、図１２に示す構造を有する。プリント板５０は、Ｙ２方向側の辺５０ｂがフロント部材４３の溝部４３ｃ及び凹溝部４３ｄ、４３ｅに嵌合されており、Ｙ２方向側の辺５０ｂの近くの貫通穴５０ｅが段突きピン部７３ａによって支持されている。よって、プリント板５０は、図１２に二点鎖線で示すように、Ｙ２方向側の辺５０ｂを中心に、Ｙ２方向側の辺５０ｂ側が、段突きピン部７３ａの段部７３ａ１と柱部７１ａとの間の寸法Ａの範囲で、Ｘ１−Ｘ２の方向に、変位可能となっている。即ち、プリント板５０は、ケース組立体４２及びフロント部材４３に対してルーズに支持されている。
【００３９】
ここで、サブラック装置１１を実際に組立てた場合には、組立て誤差は避けられない。例えばバックワイヤリングボード用枠板１６とバッイヤリングボード１７との組立て誤差等によって、図９（Ａ）において、コネクタ３０の開口１６ｅに対する位置が所定の位置に対してＸ１−Ｘ２の方向に少しずれていたと仮定する。この場合には、通信プラグインユニットの実装の最終の段階で、即ち、コネクタ５１がコネクタ３０と嵌合される段階で、プリント板５０はＹ１方向の端５０ａがＸ１又はＸ２方向に変位する。この変位を「位置合わせ変位」という。
【００４０】
ここで、プリント板５０がケース８０及びフロント部材４３にリジッドに固定されている場合には、位置合わせ変位に伴って、ケース８０のＹ１方向の端側も変位する。ケース８０が変位すると、変位の方向と逆の側については、ケース８０のリブ１６ｂ１又はリブ１６ｂ２への押し付けが弱くなり、シールド性が損なわれてしまう。
【００４１】
しかし、本実施例のように、プリント板５０がケース組立体４２及びフロント部材４３に対して自由度を有してルーズに支持されている場合には、上記の位置合わせ変位が起きてもケース８０は変位を起こさない。よって、ケース８０の側板８１、８２は夫々リブ１６ｂ１、１６ｂ２への押し付けは均一に保たれ、ケース８０の側板８１、８２とバックワイヤリングボード用枠板１６との間の部分のシールド性は少しも損なわれない。
【００４２】
なお、通信用プラグインユニット４０は、プリント板５０がケース８０に対してＺ１−Ｚ２の方向にも自由度を有して少しルーズに支持されている。よって、コネクタ３０の開口１６ｅに対する位置が所定の位置に対してＺ１−Ｚ２の方向に少しずれていた場合にも、位置合わせ変位が起きてもケース８０は変位を起こさない。よって、シールド部材１０５、１０６が横リブ部１６ｃ、１６ｄの先端面に押し当たる位置がずれることが起きず、シールド部材１０５、１０６が横リブ部１６ｃ、１６ｄの先端面に正常に押し当たり、ケース組立体４２の天板８３及び底板８４とバックワイヤリングボード用枠板１６との間の部分のシールド性は少しも損なわれない。
【００４３】
〔通信用プラグインユニット４０を実装するときの力の作用〕
図１３は、通信用プラグインユニット４０を実装する最終の段階でカードレバー組立体５２、５３を操作したときの力の作用を示す。
【００４４】
フロント部材４３の上下端から水平アーム組立体４６，４７がＹ１方向に延在して設けてあり、水平アーム組立体４６上のピン５８がプリント板５０の切欠部５０ｃ２に嵌合してあり、水平アーム組立体４７上のピン６３がプリント板５０の切欠部５０ｄ２に嵌合してある。
【００４５】
カードレバー組立体５２、５３を操作すると、フロント部材４３の上部と下部とにＹ１方向の力Ｆ１０、Ｆ１１が発生する。力Ｆ１０は水平アーム組立体４６、ピン５８を介して伝わり、プリント板５０の切欠部５０ｃ２の箇所がＹ１方向の力Ｆ１０ａでＹ１方向に押される。力Ｆ１１は水平アーム組立体４７、ピン６３を介して伝わり、プリント板５０の切欠部５０ｄ２の箇所がＹ１方向の力Ｆ１１ａでＹ１方向に押される。これによって、コネクタ５１がコネクタ３０に接続される。
【００４６】
コネクタ５１がコネクタ３０に接続されるときに、プリント板５０はコネクタ５１の箇所にバックワイヤリングボード１７から強い抵抗力を受ける。プリント板５０のフロント部材４３側の辺５０ｂが押された場合には、プリント板５０のうち実装するための力が作用する箇所が、Ｙ１―Ｙ２方向上コネクタ５１の箇所から距離Ｌ１０と離れているため、カードレバーを操作したときに、プリント板５０が座屈を起こして湾曲する危険があった。プリント板５０が湾曲すると、プリント基板５０上に実装してあるＩＣ素子の端子の半田付け部分が剥離したりする危険があった。
【００４７】
しかし、本実施例の通信用プラグインユニット４０においては、サブラック装置１１内に押し込む力Ｆ１０ａ，Ｆ１１ａが作用する箇所が、プリント板５０の切欠部５０ｃ２、５０ｄ２の箇所であり、コネクタ５１からの距離がＬ１１であり、Ｙ１―Ｙ２方向上コネクタ５１の箇所に近い箇所であるため、プリント板５０が座屈する危険が回避される。よって、プリント板５０が湾曲することが起きず、よって、プリント基板５０上のＩＣ素子の実装状態が不完全となる危険も回避され、通信用プラグインユニット４０のサブラック装置１１内への実装は信頼性良く行われる。
【００４８】
なお、プリント板５０が反ろうとすると、プリント板５０の中央に植わっているブッシング５４がケース８０の側板８１，８２に当接することによっても、プリント板５０がそれ以上に反ることが制限され、実装されているＩＣ素子がケース８０の側板８１に接触することが制限されている。
【００４９】
〔通信用プラグインユニット４０の誤った向きで実装しようとする操作を制限する機構〕
通信用プラグインユニット４０は扁平な箱形状であるので、誤って上下反対の向きでサブラック装置１１に挿入して実装することが起こり得る。この場合には通信用プラグインユニット４０のコネクタ５１がサブラック装置１１のコネクタ３０に合わないため、コネクタ５１がコネクタ３０と衝突して、コネクタ３０，５１を壊してしまう事故が発生する虞れがある。
【００５０】
そこで、図１４（Ａ）に示すように、通信用プラグインユニット４０については、下側のスライダ部材８９のＹ２方向端に凸部８９ａを有する構成とし、サブラック装置１１については、下側のガイドレ−ル部２１ａのＹ２方向端に切欠２１ｃを有する構成としてある。
【００５１】
通信用プラグインユニット４０は、図１４（Ａ）に示すように、凸部８９ａが切欠２１ｃ内に入って、所定の位置まで挿入されてサブラック装置１１に正常に実装される。
【００５２】
誤って通信用プラグインユニット４０を上下が逆とされた向きでプラグイン実装しようとすると、図１４（Ｂ）に示すように、上側に位置しているスライダ部材８９の凸部８９ａが上側のガイドレ−ル部２０ａに当たって、それ以上はサブラック装置１１内に挿入されないようになる。即ち、通信用プラグインユニット４０の挿入が最終段階の手前で制限され、コネクタ３０，５１を壊してしまう事故は防止される。
【００５３】
〔通信用プラグインユニット４０の静電気対策構造〕
帯電している作業者が通信用プラグインユニット４０を持ったときに、作業者と金属製のケース８０との間で静電気放電が発生する場合が考えられる。
【００５４】
垂直柱組立体４８、４９の全体が電気導通性である場合には、高電圧で微弱な電流が板ばね部材１０１，１０２を通して垂直柱組立体４８、４９に流れ、更には垂直柱組立体４８、４９の極く近くに位置しているコネクタ５１のリードに放電して流れ、更には、プリント基板５０のパターンを介してプリント基板５０上のＩＣ素子に流れて、ＩＣ素子が誤動作を起こす危険がある。
【００５５】
そこで、通信用プラグインユニット４０は、図４及び図９（Ａ）に示すように、垂直柱組立体４８、４９は外側が絶縁性である合成樹脂製のカバー部材７１、７２によって覆われた構成とし、且つ、ケース８０の内側の板ばね部材１０１，１０２はカバー部材７１、７２に当たっている構成としてある。
【００５６】
このため、作業者と金属製のケース８０との間で静電気放電が発生した場合にも、高電圧で微弱な電流は、垂直柱組立体４８、４９には流れない。よって、静電気放電が発生した高電圧で微弱な電流が、プリント基板５０上のＩＣ素子に流れることは起きず、よって、ＩＣ素子が誤動作を起こす事故が防止され、通信用プラグインユニット４０は高い信頼性を有する。
【００５７】
〔光電変換モジュール１２１を有する通信用プラグインユニット１２０〕
光電変換モジュール１２１を有する通信用プラグインユニット１２０は、図１５及び図１６に示す構造のフロント組立体１２２を有する。フロント組立体１２２は、フロント部材１２３と、カードレバー組立体５２、５３と、アダプタ保持回動部材１２４と、プロテクタ１２５と、光ファイバ通路ブロック組立体１２６と有する。
【００５８】
フロント部材１２３は、略細長い直方体形状であり、内部に空間１２３ａを有し、前面に開口１２３ｂを有し、下面に開口１２３ｃを有する。開口１２３ｂと開口１２３ｃとは、連続している。フロント部材１２３の背面の壁１２３ｄには、後述するプラグ１２９が通る大きさの開口窓１２３ｅが形成してある。
【００５９】
アダプタ保持回動部材１２４は、アダプタ保持枠部１２４ａに光コネクタの接続用アダプタ１２７が４つ並んで保持されており、腕部１２４ｂをピン１３４によって図１５に示す位置と図１７に示す位置との間で回動可能に支持されている。４つの数は、通常より多い数である。アダプタ保持回動部材１２４は、通常は、図１５に示すようにフロント部材１２３の内部の空間１２３ａに収容されており、プラグを接続するときに、図１７に示すように回動されて、接続用アダプタ１２７がフロント部材１２３の前側に出る。接続用アダプタ１２７は、斜め下を向いた状態にある。なお、通常より多い数である４つの接続用アダプタ１２７を有することが可能となった理由は、アダプタ保持枠部１２４ａが回動変位するようにしたからである。また、アダプタ保持回動部材１２４は、腕部１２４ｂより突き出ている部分１２４ｂ１がフロント部材１２３の内部の凸部１２３ｆに当たって、図１７に示す位置より時計方向には、即ち、前を向く方向には回動しないようになっている。
【００６０】
接続用アダプタ１２７の上側には、光電変換モジュール１２１から引き出されて、開口窓１２３ｅを通っている光ファイバ１２８の端のプラグ１２９が接続してある。
【００６１】
プロテクタ１２５は、フロント部材１２３に前面側開口１２３ｂを塞ぐように且つ回動可能に取り付けてある。プロテクタ１２５は、アダプタ保持回動部材１２４が図１７に示すように回動されたときには、図１７に示す状態となって、アダプタ保持回動部材１２４の前側を覆っている。プロテクタ１２５は、通信用プラグインユニット１２０を取り扱う作業者の指等が光ファイバ１２８のうちプラグ１２９より延びてフロント部材１２３の内部を延在している部分に接触することを制限して、この光ファイバ１２８の部分を保護している。また、プロテクタ１２５は、外部の設備に向かう光ファイバの端のプラグを接続用アダプタ１２７の下側に接続する作業のときに、作業者の目を保護する役割も有する。
【００６２】
光ファイバ通路ブロック組立体１２６は、アルミニウム製の二つの半体１３０、１３１とが光ファイバ１２８を挟むように組み合わせてある構造であり、フロント部材１２３の背面の壁１２３ｄに、開口窓１２３ｅを塞ぐようにねじ１３２によって固定してある。光ファイバ通路ブロック組立体１２６には、光ファイバ１２８が通る狭い大きさであって奥行きのある通路１３３が形成される。よって、通信用プラグインユニット１２０の内部で発生した電磁妨害波が、光ファイバ１２８の通路を通って通信用プラグインユニット１２０の外へ漏れ出すことが制限される。
【００６３】
外部の設備から延びている光ファイバ１３５の先端のプラグ１３６をアダプタ１２７の下側に接続する作業は、図１７に示すように、通信用プラグインユニット１２０がサブラック装置１１内に実装されている状態で、アダプタ保持枠部１２４ａを手前に引き出して、ユーザが行う。このとき、接続用アダプタ１２７は、斜め下を向いた状態にあり、しかも、プロテクタ１２５が接続用アダプタ１２７を覆っている。よって、プラグの接続作業は、プラグ１２９の先端から出るレーザ光がユーザの目に入らない状態、即ち、ユーザの目が保護された状態で行われる。
【００６４】
ユーザがプラグ１３６を接続する作業を行ったのちに、アダプタ保持枠部１２４ａはフロント部材１２３内に収容され、図１８に示す状態となる。接続用アダプタ１２７に接続されたてプラグ１３６よりＺ２方向に延びている光ファイバ１３５は、開口１２３ｃを通り、ガイドレ−ル部２１ａの切欠２１ｃを通って、光ファイバ用ダクト２４に流れ込む。よって、外部の設備に向かう光ファイバ１３５の配線はスムーズになされている。
【００６５】
〔通信用プラグインユニット１２０を強制空冷する機構〕
図１９及び図２０（Ａ）乃至（Ｃ）は、モータファンプラグインユニット１４０を示す。モータファンプラグインユニット１４０は、カードレバー組立体１４１が取り付けてあるスケルトン状態のベース１４２上に、プリント基板１４３とモータファン１４４とが固定してあり、モータファン１４４の上板１４４ａの上面に、四角枠状のパッキン１４５が載っており、上板１４４ａを覆うように四角枠状の蓋部材１４５がルーズに取り付けてある構成である。四角枠状のパッキン１４５は、四角枠状の蓋部材１４６の裏面の溝部１４６ａ内に嵌合して、蓋部材１４６の内部に収まっている。蓋部材１４６は、Ｙ１方向側の辺よりＺ２方向に傾斜してＹ１方向に張り出している張り出し部１４６ｂ、及びＹ２方向側の辺よりＺ２方向に傾斜してＹ２方向に張り出している張り出し部１４６ｃを有する。
【００６６】
モータファンがプラグインユニットの構造としてあるのは、モータファンは寿命があり、将来的に交換されるものであることを考慮したものである。
【００６７】
図２１及び図２２は、上記のモータファンプラグインユニット１４０がサブラック装置１１の下部のモータファンプラグインユニット収容部１３内にＹ１方向に挿入されて実装された状態を示す。モータファンプラグインユニット１４０は、張り出し部１４６ｂによって案内されて空気溜め部屋形成部材２２の下側に挿入される。蓋部材１４６が空気溜め部屋形成部材２２の下側に入り込む過程で、パッキン１４５は圧縮され、パッキン１４５は上板１４４ａに押し付けられ、蓋部材１４６が空気溜め部屋形成部材２２の下面に押し付けられる。よって、モータファンプラグインユニット１４０と空気溜め部屋形成部材２２との間で、空気流の外部への漏れは発生しない。よって、４つのモータファンプラグインユニット１４０が駆動して発生した空気流は、通信用プラグインユニット１２０の強制空冷に無駄なく有効に利用される。
【００６８】
４つのモータファンプラグインユニット１４０が駆動して発生した空気流は、矢印１５０で示すように、一旦、空気溜め部屋２３に入り、空気溜め部屋２３内の空気は圧力が大気圧より高い圧力Ｐとなる。空気溜め部屋２３内の圧力Ｐの空気は、サブラック装置１１内に並んでいる各通信用プラグインユニット１２０内に等しく流れ込んで内部を等しく吹き上がる。よって、全部の通信用プラグインユニット１２０に対する強制空冷が均等になされる。
【００６９】
なお、空気溜め部屋２３内の圧力Ｐの空気は、矢印１５１で示すように、サブラック装置１１のガイドレール部２１ａの開口２１ｂ→ケース８０の底板８４の電磁波の漏れ制限フィルタ８７を通って、ケース８０内に入り、矢印１５２で示すように、ケース８０内をプリント板組立体４４の表面に沿って流れ、この間にプリント板組立体４４より熱を奪い、矢印１５３で示すように、ケース８０の天板８３の電磁波の漏れ制限フィルタ８６を通ってケース８０の外に出て、更にはサブラック装置１１のガイドレール部２０ａの開口２０ｂを通って、サブラック装置１１の天板２０より上方に抜ける。
【００７０】
サブラック装置１１に実装される通信用プラグインユニット１２０の数が少なく、サブラック装置１１の内部に空きの空間が残る場合には、その部分には、図２３に示すフィラーユニット１６０が実装される。このフィラーユニット１６０は、内部を空気流が通るようになっており、且つ、空気流に対する抵抗が通信用プラグインユニット１２０の場合と同じようになっている。よって、サブラック装置１１内には、空気流の抵抗が小さい部分が形成されず、よって、モータファンプラグインユニット１４０が発生させた空気流は各通信用プラグインユニット１２０内に送り込まれ、各通信用プラグインユニット１２０は効率的に強制空冷される。
【００７１】
フィラーユニット１６０は、図２３に示すように、略筒状のフレーム部材１６１のＹ２方向端に箱形状部材１６２がねじ止めされ、フレーム部材１６１の上下にスライダ部材１６３、１６４がねじ止めしてある構成である。スライダ部材１６３、１６４の開口１６３ａ、１６４ａの大きさを適宜定めて、内部を通過する空気流に対する抵抗が通信用プラグインユニット１２０の場合と同じようにしてある。スライダ部材１６３、１６４のＹ２方向端には、弾性変形するフック部１６３ｂ、１６４ｂが形成してある。
【００７２】
フィラーユニット１６０は、スライダ部材１６３、１６４を夫々ガイドレール部２１ａ，２０ａに案内させて挿入し、フック部１６３ｂ、１６４ｂを夫々ガイドレール部２０ａ，２１ａの先端の凸部２０ｄ，２１ｄに掛止されて実装される。
【００７３】
〔カードレバー組立体５２、５３〕
図２４及び図２５（Ａ）に示すように、カードレバー組立体５２は、金属製のカードレバー本体１７０と、合成樹脂製の補助レバー１８０とよりなる構成である。
【００７４】
カードレバー本体１７０は、本体部１７１と、本体部分１７１を挟んでいる金属板１７２、１７３と、本体部１７１を貫通してかしめてあり、金属板１７２、１７３を本体部１７１に固定すると共にＸ２方向に突き出ている軸１７４とを有する。本体部１７１は、Ｕ字形状の凹部を介して対向するカム部１７１ａ，１７１ｂを有する、金属板１７２には、二つの円をつないだ形状の開口１７２ａが形成してある。開口１７２ａは、第１の円形の開口部１７２ａ１と、第２の円形の開口部１７２ａ２と、両者をつなぐつなぎスリット部１７２ａ３とよりなる。金属板１７２、１７３の間には、補助レバー１８０を収める空間部１７５が形成してある。
【００７５】
補助レバー１８０は、穴１８１ａを有する本体部１８１と、本体部１８１の端のノブ部１８２と、フック部１８３と、凸部１８４と、本体部１８１からＹ１方向に平行に延びている二つの腕部１８５、１８６と二つの腕部１８５、１８６の先端の間をつないでいるつなぎ部１８７とよりなるコ字形状の枠部１８８と、枠部１８８内で本体部１８１からＹ１方向に平行に延びている腕部１８９とを有する。フック部１８３は、腕部１８５の先端にＺ１方向に突き出て形成してある。凸部１８４は、腕部１８９の先端にＸ１方向に突き出て形成してある。フック部１８３と穴１８１ａとは、Ｙ１―Ｙ２方向の線１９０上に位置している。また、コ字形状の枠部１８８は、所謂平行リンク機構を構成する。
【００７６】
補助レバー１８０は、ノブ部１８２を除いて、カードレバー本体１７０の空間部１７５内に収まって、ピン１９１によって回動可能に支持されて取り付けてある。金属板１７３は金属板１７２より小さい形状であり、フック部１８３は金属板１７２の面側に露出としている。
【００７７】
カードレバー組立体５２は、軸１７４を通信用プラグインユニット４０のフロント部材４３の穴４３ｆに挿入されて、フロント部材４３の上端の側面の凹部４３ｇ内に収まっている。
【００７８】
フロント部材４３の上端の側面の凹部４３ｇは、図２５（Ａ）に示すように、凸部４３ｈを有し、且つ、Ｘ２方向に浅く凹んでいる部分４３ｉを有する。浅く凹んでいる部分４３ｉは、凸部４３ｈの周囲の部分に形成してあり、凸部４３ｈは、浅く凹んでいる部分４３ｉの壁面４３ｊより離れている。
【００７９】
次にカードレバー組立体５２の操作及び動作について説明する。
【００８０】
通信用プラグインユニット４０を実装するときの最終段階で、作業者は、図２５（Ａ）の状態にあるカードレバー組立体５２のノブ部１８２を手の指でＹ１方向に押す。このとき、カードレバー組立体５２は、補助レバー１８０がカードレバー本体１７０に対して反時計方向に回動しており、凸部１８４が第１の円形の開口部１７２ａ１に嵌合している状態にある。上記の操作により、ノブ部１８２を介して金属板１７２、１７３が押され、カードレバー組立体５２が反時計方向に回動され、図２５（Ｂ）に示す状態を経て、図２６（Ａ）に示す状態にまで回動される。
【００８１】
カードレバー組立体５２が反時計方向に回動されると、カム部１７１ａがガイドレール部２０ａの先端の凸部２０ｄの内側の面２０ｄ１に押し当たって、てこの原理で、通信用プラグインユニット４０にＹ１方向に強い力を作用される。
【００８２】
また、図２５（Ｂ）に示すように、補助レバー１８０のフック部１８３がコ字形状の枠部１８８を撓ませつつ凸部４３ｈを乗り越え、図２６（Ａ）に示すように、フック部１８３が凸部４３ｈを係止する。これによって、カードレバー組立体５２がこの位置にロックされる。また、これによって、通信用プラグインユニット４０がサブラック装置１１に実装された状態にロックされる。
【００８３】
ここで、フック部１８３及び枠部１８８はフロント部材４３の壁面４３ｊから離れており、フック部１８３が凸部４３ｈを乗り越えて向こう側に落ち込むときの動作は、フック部１８３及び枠部１８８が壁面４３ｊを擦らないで行われ、勢いよくなされ、「パチン」と音が発生する。よって、作業者は、通信用プラグインユニット４０が実装されたことを、耳で確認することが出来る。
【００８４】
ここで、地震等によって、実装された状態にある通信用プラグインユニット４０にサブラック装置１１より突き出す方向の力Ｆが作用した場合について説明する。
【００８５】
図２６（Ａ）中、力Ｆ１００が作用すると、カム部１７１ａが面２０ｄ１に押し当たって、カードレバー組立体５２に反時計方向に回動しようとする力が発生し、補助レバー１８０についてみると、ピン１９１（穴１８１ａ）の箇所にＹ２方向の力Ｆ１０１が作用する。
【００８６】
ここで、フック部１８３は穴１８１ａに対してＹ１の方向に位置しており、上記の力Ｆ１０１が作用しても、凸部４３ｈから外れる方向の分力は発生しない。また、フック部１８３は枠部１８８の端に形成してあり、腕部１８６とつなぎ部１８７とが存在しないで、フック部１８３が腕部１８５に形成してある構成に比べて、腕部１８６とつなぎ部１８７とによって、Ｚ２方向への変位がしにくくなっている。よって、フック部１８３の凸部４３ｈに対する係止が確実に保持され、カードレバー組立体５２はロック状態に確実に保持される。
【００８７】
よって、実装してある通信用プラグインユニット４０がサブラック装置１１から抜け出す事故が発生することが確実に防止される。
【００８８】
通信用プラグインユニット４０をサブラック装置１１から抜き出すときには、作業者は、図２６（Ａ）の状態にあるカードレバー組立体５２のノブ部１８２を手の指でＹ２方向に引き、続いてＺ１方向に引き上げて、カードレバー組立体５２を図２６（Ｂ）に二点鎖線で示すように時計方向に回動させる。
【００８９】
図２６（Ａ）の状態においてノブ部１８２をＹ２方向に引くと、図２６（Ｂ）に示すように、補助レバー１８０が時計方向に回動されて、フック部１８３が凸部４３ｈから外れて、カードレバー組立体５２のロックが解除される。
【００９０】
カードレバー組立体５２が時計方向に回動させると、カム部１７１ｂがガイドレール部２０ａの先端の凸部２０ｄの外側の面２０ｄ２に押し当たって、てこの原理で、通信用プラグインユニット４０にＹ２方向に強い力を作用され、コネクタ５１がコネクタ３０から抜けだしてコネクタの接続が解除される。
【００９１】
補助レバー１８０のカードレバー本体１７０に対する二つの回動位置は、凸部１８４が第１の円形の開口部１７２ａ１又は第２の円形の開口部１７２ａ２に嵌合することよって保持される。なお、腕部１８９が撓みつつ凸部１８４がつなぎスリット部１７２ａ３を越えることによって、補助レバー１８０はカードレバー本体１７０に対して回動される。
【００９２】
よって、図２６（Ａ）に示す通信用プラグインユニット４０がサブラック装置１１に実装されている状態において、仮にノブ部１８２が二点鎖線で示すような状態にあれば、作業者はこれを目で確認して、カードレバー組立体５２のロックがされていないことを認識することが出来る。よって、カードレバー組立体５２がロックされていない状態に放置される不都合は起きない。
【００９３】
カードレバー組立体５３は、上記のカードレバー組立体５２と同じ構成である。
【００９４】
本発明は、以下の付記する発明も包含するものである。
（付記１）
バックワイヤリングボード側コネクタが実装してあるバックワイヤリングボードを有する箱形状のサブラック装置と、該サブラック装置内に挿入されてプラグインユニット側コネクタを上記コネクタバックワイヤリングボード側コネクタと接続されて実装されている複数のプラグインユニットとよりなる通信装置において、
上記サブラック装置は、
上記バックワイヤリングボードの前側にバックワイヤリングボード用枠板を有し、該バックワイヤリングボード用枠板のリブが上記バックワイヤリングボード側コネクタの両側に配された構成であり、
上記プラグインユニットは、
フロント部材と、一端側に上記プラグインユニット側コネクタを有するプリント板と、左右の側板、天板、及び底板を有し、該プリント板を包み込むように覆う金属製のケースと、該金属製のケースの左右の側板を外側に弾性付勢するばね部材とを有する構成であり、
上記プラグインユニットが上記サブラック装置内に実装された状態で、上記ばね部材が弾性変形され、該ばね部材のばね力によって、上記金属製のケースの左右の側板が上記バックワイヤリングボード用枠板の上記リブに押し付けられる構成としたことを特徴とする通信装置。
（付記２）
付記１の通信装置において、
上記プラグインユニットは、
該フロント部材の上下の端より水平に延びている上下の水平アーム部材と、該上下の水平アーム部材の間に垂直架設してある垂直柱部材とを有し、
且つ、上記ばね部材が、該金属製のケースの左右の側板の内面に、上記柱部材と当たるように取り付けてある構成としたことを特徴とする通信装置。
（付記３）
付記１の通信装置において、
上記プラグインユニットは、
上記プリント板が、その面に対して垂直の方向に少し変位可能であるように支持されている構成としたことを特徴とする通信装置。
（付記４）
付記１の通信装置において、
上記プラグインユニットは、上記金属製のケースの天板及び底板の端に弾性変形するシールド部材を有する構成であり、
上記プラグインユニットが上記サブラック装置内に実装された状態で、上記シールド部材が上記バックワイヤリングボード用枠板に押し付けられる構成としたことを特徴とする通信装置。
（付記５）
バックワイヤリングボード側コネクタが実装してあるバックワイヤリングボードを有する箱形状のサブラック装置内に挿入されてプラグインユニット側コネクタを上記コネクタバックワイヤリングボード側コネクタと接続されて実装されるプラグインユニットにおいて、
フロント部材と、一端側に上記プラグインユニット側コネクタを有するプリント板と、左右の側板、天板、及び底板を有し、該プリント板を包み込むように覆う金属製のケースと、該金属製のケースの左右の側板を外側に弾性付勢するばね部材とを有する構成としたことを特徴とするプラグインユニット。
（付記６）
付記２の通信装置において、
上記垂直柱部材は、上記ばね部材が当たる部分が、絶縁性の材質製である構成とした通信装置。
（付記７）
付記２の通信装置において、
上記プラグインユニットは、
上記プリント板は、上下の辺のうちプラグインユニット側コネクタに近い場所に切欠部を有し、
上記上下の水平アーム部材は、上記の切欠部に嵌合するピンを有し、
上記フロント部材のカードレバーを操作したときに、上記ピンが上記切欠部の一端を押して、切欠部の箇所にプリント板をサブラック装置内に押し込む力を作用させる構成とした通信装置。
（付記８）
付記１の通信装置において、
上記プラグインユニットは、
上下にスライダ部材を有し、
下側のスライダ部材は、フロント部材寄りの部位に下向きの凸部を有する構成であり、
上記のサブラック装置は、
挿入される上記プラグインユニットを案内する上下側のガイドレール部を有し、下側のガイドレール部は、入り口側に切欠を有する構成であり、
上記プラグインユニットは、正常な向きでは、上記下側のスライダ部材の凸部が上記下側のガイドレール部の切欠に入り込むことによって、所定の位置まで挿入されてプラグイン実装され、上下逆の向きでは、上記の凸部が上側のガイドレール部の入り口の端に当たってプラグイン実装が途中で制限される構成とした通信装置。
（付記９）
バックワイヤリングボード側コネクタが実装してあるバックワイヤリングボードを有する箱形状のサブラック装置内に挿入されてプラグインユニット側コネクタを上記コネクタバックワイヤリングボード側コネクタと接続されて実装されるプラグインユニットにおいて、
略細長い直方体形状であり、内部に空間部を有するフロント部材の内部の空間部に、回動可能に支持されており、且つ、光コネクタの接続用アダプタが保持されているアダプタ保持回動部材が設けてあり、
アダプタ保持回動部材は、接続用アダプタが下を向いて該フロント部材の内部の空間部に収まっている位置と、接続用アダプタが該フロント部材より前側に突き出し、且つ、斜め下を向いた位置との間で回動する構成であり、
プリント板上の光電変換モジュールから延びている光ファイバの先端のプラグが上記接続用アダプタの上側に接続してある構成としたプラグインユニット。
（付記１０）
付記９に記載のプラグインユニットにおいて、
該フロント部材は、該空間部の前側を覆い、上記アダプタ保持回動部材を手前に回動させたときに、該アダプタ保持回動部材を覆うプロテクタを有する構成としたプラグインユニット。
（付記１１）
付記９に記載のプラグインユニットにおいて、
該フロント部材の上記空間部の奥の壁部には、上記プリント板上の光電変換モジュールから延びている光ファイバの先端のプラグが通る大きさの開口が形成してあり、
該フロント部材には、二つの半体が組み合わされ、光ファイバが通る大きさであって奥行きのある通路が形成される光ファイバ通路ブロックが、上記開口の箇所に取り付けてある構成としたプラグインユニット。
（付記１２）
コネクタが実装してあるバックワイヤリングボードを有し且つガイドレール部を有する箱形状のサブラック装置と、サブラック装置内にその前面側から上記ガイドレール部に沿って挿入されて実装されている複数のプラグインユニットとよりなる通信装置において、
横に並んでいるガイドレール部の下側に、全体を覆う大きさである空気溜め部屋を形成する空気溜め部屋部材を有し、
この空気溜め部屋部材の下側に、モータファンを有するモータファンユニットがプラグインされた構成とした通信装置。
（付記１３）
付記１２の通信装置において、
各モータファンユニットは、上面に、モータファンを囲むパッキンが組み込まれており、先端の上面が傾斜しているスライダ部材を有し
プラグインされた状態で、パッキンが圧縮され、上記スライダ部材が空気溜め部屋部材の下面に押し当たった状態となる構成とした通信装置。
（付記１４）
付記１２の通信装置において、
プラグインユニットと同じサイズであり、風が通り抜ける抵抗が、プラグインユニットと同じとされたフィラープラグインユニットを、上記サブラック装置の内部のうち、プラグインユニットがプラグイン実装されていない部分にプラグイン実装された構成の通信装置。
（付記１５）
バックワイヤリングボード側コネクタが実装してあるバックワイヤリングボードを有する箱形状のサブラック装置内に挿入されてプラグインユニット側コネクタを上記コネクタバックワイヤリングボード側コネクタと接続されて実装されるプラグインユニットにおいて、
フロント部材は、カードレバー組立体を有し、
カードレバー組立体は、カードレバー本体と、カードレバー本体に回動可能に支持されている補助レバーとよりなり、
補助レバーのフック部がフロント部材の凸部を係止している状態で、補助レバーのフック部は、補助レバーのカードレバー本体に対する回動中心に対してプラグインユニットの奥行き方向上に位置しており、
且つ、フック部は弾性変形する枠部に形成してある構成としたプラグインユニット。
【００９５】
以上、本発明を実施例により説明したが、本発明は前記実施例に限定されるものではなく、本発明の範囲内で種々の変形及び改良が可能であることはいうまでもない。
【００９６】
付記１の発明は、バックワイヤリングボード側コネクタが実装してあるバックワイヤリングボードを有する箱形状のサブラック装置と、該サブラック装置内に挿入されてプラグインユニット側コネクタを上記コネクタバックワイヤリングボード側コネクタと接続されて実装されている複数のプラグインユニットとよりなる通信装置において、
上記サブラック装置は、
上記バックワイヤリングボードの前側にバックワイヤリングボード用枠板を有し、該バックワイヤリングボード用枠板のリブが上記バックワイヤリングボード側コネクタの両側に配された構成であり、
上記プラグインユニットは、
フロント部材と、一端側に上記プラグインユニット側コネクタを有するプリント板と、左右の側板、天板、及び底板を有し、該プリント板を包み込むように覆う金属製のケースと、該金属製のケースの左右の側板を外側に弾性付勢するばね部材とを有する構成であり、
上記プラグインユニットが上記サブラック装置内に実装された状態で、上記ばね部材が弾性変形され、該ばね部材のばね力によって、上記金属製のケースの左右の側板が上記バックワイヤリングボード用枠板の上記リブに押し付けられる構成としたものである。
【００９７】
１０ＧＨｚ程度の高い周波数の電磁妨害雑音に対してもシールド効果を有するようになる。ばね部材を設けていない構造では、金属製のケースのリブへの押し付けは、金属製のケース自身のばね力に頼っており、ケースのリブへの接触が完全でない場合があった。この場合には、シールドの効果はＧＨｚより低い周波数の電磁波に限定され、１０ＧＨｚ程度の高い周波数の電磁波に対してはシールドの効果が十分でなかった。ばね部材を設けて、ばね部材のばね力が、金属製のケースの挿入方向先端の開口の縁をバックワイヤリングボード用枠板のリブに押し付けるように作用するようにしてあるため、金属製のケースの挿入方向先端の開口の縁のバックワイヤリングボード用枠板のリブへの接触が確実になされる。よって、低い周波数の電磁妨害雑音に対しては勿論、例えば１０ＧＨｚ程度の高い周波数の電磁妨害雑音に対してもシールド効果を発揮する。
【００９８】
よって、プラグインユニットがサブラック装置内に実装された状態で、プラグインユニットの内部から外部に漏れ出る低い周波数の電磁妨害雑音をシールドすることが出来、且つ、高い周波数の電磁妨害雑音をシールドすることも出来る。最終的には、通信装置から外部に漏れ出す電磁妨害雑音を、低い周波数のものから高い周波数のものまでシールドすることが出来る。
【００９９】
付記２の発明は、付記１の通信装置において、
上記プラグインユニットは、
該フロント部材の上下の端より水平に延びている上下の水平アーム部材と、該上下の水平アーム部材の間に垂直架設してある垂直柱部材とを有し、
且つ、上記ばね部材が、該金属製のケースの左右の側板の内面に、上記柱部材と当たるように取り付けてある構成としたものである。
【０１００】
垂直柱部材を設け、ばね部材が垂直柱部材に当たるようにした構成は、ばね部材がケースの左右の側板を外側に広げる力を確実に発生させるようにする。
【０１０１】
付記３の発明は、付記１の通信装置において、
上記プラグインユニットは、
上記プリント板が、その面に対して垂直の方向に少し変位可能であるように支持されている構成としたものである。
【０１０２】
プラグインユニットは、プリント板の端のコネクタをバックワイヤリングボード上のコネクタと嵌合されて、実装される。バックワイヤリングボードの面上のコネクタのリブ部に対する位置に誤差がある場合を考えてみる。プラグインユニットの実装の最終の段階で、即ち、プリント板の端のコネクタをバックワイヤリングボード上のコネクタと嵌合される段階で、プリント板はその挿入方向の端が右又は左方向に少し変位する。この変位を位置合わせ変位という。プリント板がフロント部材及び上下のアーム部材に固定されており、プリント板のフロント部材及び上下のアーム部材に対する自由度がない場合には、上記の位置合わせ変位につれて、金属製のケースの開口側も変位する。金属製のケースの開口側が変位すると、変位の方向と逆の側については、金属製のケースの開口の縁のバックワイヤリングボード用枠板のリブへの押し付けが弱くなり、シールド性が損なわれてしまう。
【０１０３】
しかし、付記３に係る発明のように、プリント板が、その面に対して垂直の方向に少し変位可能であるように、上記フロント部材及び上下のアーム部材にルーズに支持されている構成とした場合には、即ち、プリント板がフロント部材及び上下のアーム部材に対して自由度を有している場合には、上記の位置合わせ変位があっても、金属製のケースの開口側は追従して変位することは起きない。よって、金属製のケースの開口の両側の縁のバックワイヤリングボード用枠板の対応するリブへの押し付けは均一に保たれ、シールド性が少しも損なわれない。
【０１０４】
付記４の発明は、付記１の通信装置において、
上記プラグインユニットは、上記金属製のケースの天板及び底板の端に弾性変形するシールド部材を有する構成であり、
上記プラグインユニットが上記サブラック装置内に実装された状態で、上記シールド部材が上記バックワイヤリングボード用枠板に押し付けられる構成としたものである。
【０１０５】
プラグインユニットは、金属製のケースの天板及び底板とバックワイヤリングボード用枠板との間のシールドを確保することが可能となる。
【０１０６】
付記５の発明は、バックワイヤリングボード側コネクタが実装してあるバックワイヤリングボードを有する箱形状のサブラック装置内に挿入されてプラグインユニット側コネクタを上記コネクタバックワイヤリングボード側コネクタと接続されて実装されるプラグインユニットにおいて、
フロント部材と、一端側に上記プラグインユニット側コネクタを有するプリント板と、左右の側板、天板、及び底板を有し、該プリント板を包み込むように覆う金属製のケースと、該金属製のケースの左右の側板を外側に弾性付勢するばね部材とを有する構成としたものである。
【０１０７】
サブラック装置内に実装された状態で、金属製のケースがサブラック装置に確実に押し当たる状態が実現出来る。
【０１０８】
付記６の発明は付記２の通信装置において、
上記垂直柱部材は、上記ばね部材が当たる部分が、絶縁性の材質製である構成としたものである。
【０１０９】
プラグインユニットは、コネクタのリードが露出している。帯電している人がプラグインユニットを持ったときに、人と金属製のケースとの間で静電気放電が発生する場合がある。柱部材が電気導通性である場合には、高電圧で微弱な電流が柱部材に流れ、上記のコネクタのリードに流れる。更には、電流が、コネクタのリードを通してプリント基板上のＩＣ素子に流れて、ＩＣ素子が誤動作を起こす虞がある。柱部材を絶縁性の材質とすることによって、人と金属製のケースとの間で静電気放電が発生した場合にも、電流が、コネクタのリードに流れることが防止される。よって、プリント基板上のＩＣ素子が誤動作を起こす事故が防止される。
【０１１０】
付記７の発明は、付記２の通信装置において、
上記プラグインユニットは、
上記プリント板は、上下の辺のうちプラグインユニット側コネクタに近い場所に切欠部を有し、
上記上下の水平アーム部材は、上記の切欠部に嵌合するピンを有し、
上記フロント部材のカードレバーを操作したときに、上記ピンが上記切欠部の一端を押して、切欠部の箇所にプリント板をサブラック装置内に押し込む力を作用させる構成としたものである。
【０１１１】
プリント板のコネクタがバックワイヤリングボード上のコネクタと嵌合させるには強い力が必要であり、プリント板のコネクタはバックワイヤリングボードから強い抵抗力を受ける。従来は、サブラック装置内に押し込む力が作用する箇所が、プリント板のうち、コネクタとは反対側の端であった。即ち、力が作用する箇所が、抵抗力を受ける箇所から離れていた。このため、カードレバーを操作したときに、プリント板が座屈する危険があった。プリント板が座屈しないまでも、プリント板が湾曲することによって、プリント基板上のＩＣ素子の実装状態が不完全となる虞もあった。
【０１１２】
付記７の発明は、サブラック装置内に押し込む力が作用する箇所が、プリント板のうちコネクタに近い箇所であるため、このため、カードレバーを操作したときに、プリント板が座屈する危険が回避される。よって、プリント板が湾曲することが起きず、よって、プリント基板上のＩＣ素子の実装状態が不完全となる危険も回避される。
【０１１３】
付記８の発明は、付記１の通信装置において、
上記プラグインユニットは、
上下にスライダ部材を有し、
下側のスライダ部材は、フロント部材寄りの部位に下向きの凸部を有する構成であり、
上記のサブラック装置は、
挿入される上記プラグインユニットを案内する上下側のガイドレール部を有し、下側のガイドレール部は、入り口側に切欠を有する構成であり、
上記プラグインユニットは、正常な向きでは、上記下側のスライダ部材の凸部が上記下側のガイドレール部の切欠に入り込むことによって、所定の位置まで挿入されてプラグイン実装され、上下逆の向きでは、上記の凸部が上側のガイドレール部の入り口の端に当たってプラグイン実装が途中で制限される構成としたものである。
【０１１４】
誤ってプラグインユニットを上下が逆とされた向きでプラグイン実装すると、プラグインユニット上のコネクタがサブラック装置のコネクタに合わないため、コネクタを壊してしまう事故が発生する虞れがある。
【０１１５】
しかし、付記８に係る発明によれば、誤ってプラグインユニットを上下が逆とされた向きでプラグイン実装しようとすると、プラグインユニットのサブラック装置内への挿入が最終段階の手前で制限され、コネクタを壊してしまう事故を防止することが出来る。
【０１１６】
付記９の発明は、バックワイヤリングボード側コネクタが実装してあるバックワイヤリングボードを有する箱形状のサブラック装置内に挿入されてプラグインユニット側コネクタを上記コネクタバックワイヤリングボード側コネクタと接続されて実装されるプラグインユニットにおいて、
略細長い直方体形状であり、内部に空間部を有するフロント部材の内部の空間部に、回動可能に支持されており、且つ、光コネクタの接続用アダプタが保持されているアダプタ保持回動部材が設けてあり、
アダプタ保持回動部材は、接続用アダプタが下を向いて該フロント部材の内部の空間部に収まっている位置と、接続用アダプタが該フロント部材より前側に突き出し、且つ、斜め下を向いた位置との間で回動する構成であり、
プリント板上の光電変換モジュールから延びている光ファイバの先端のプラグが上記接続用アダプタの上側に接続してある構成としたものである。
【０１１７】
外部の設備から延びている光ファイバの先端のプラグをアダプタに接続する作業を、作業者の目にレーザ光が入らない状態、即ち、作業者の目を保護して行うことが出来る構成のプラグインユニットを実現することが出来る、
通常より多い４つの接続用アダプタを備えることが可能である。通常は二つ程度である。
【０１１８】
付記１０の発明は、付記９に記載のプラグインユニットにおいて、
該フロント部材は、該空間部の前側を覆い、上記アダプタ保持回動部材を手前に回動させたときに、該アダプタ保持回動部材を覆うプロテクタを有する構成としたものである。
【０１１９】
プリント板上の光電変換モジュールから延びている光ファイバは細く、手の指が触れると、光ファイバを傷める虞がある。プロテクタを有することによって、手の指が光ファイバに触れることが防止できる。よって、光ファイバを保護することが出来る。
【０１２０】
付記１１の発明は、付記９に記載のプラグインユニットにおいて、
該フロント部材の上記空間部の奥の壁部には、上記プリント板上の光電変換モジュールから延びている光ファイバの先端のプラグが通る大きさの開口が形成してあり、
該フロント部材には、二つの半体が組み合わされ、光ファイバが通る大きさであって奥行きのある通路が形成される光ファイバ通路ブロックが、上記開口の箇所に取り付けてある構成としたものである。
【０１２１】
光ファイバ通路ブロックは、奥行きのある通路を形成する。よって、光ファイバの通路からの電磁妨害波の外への漏れ出しを制限することが可能である。
【０１２２】
付記１２の発明は、コネクタが実装してあるバックワイヤリングボードを有し且つガイドレール部を有する箱形状のサブラック装置と、サブラック装置内にその前面側から上記ガイドレール部に沿って挿入されて実装されている複数のプラグインユニットとよりなる通信装置において、
横に並んでいるガイドレール部の下側に、全体を覆う大きさである空気溜め部屋を形成する空気溜め部屋部材を有し、
この空気溜め部屋部材の下側に、モータファンを有するモータファンユニットがプラグインされた構成としたものである。
【０１２３】
プラグインされたモータファンユニットからの風は、一旦、圧力部屋内に入り、ここから、サブラック装置内に入る。これによって、風はプラグインされている全部のプラグインユニットの内部を等しく吹き上がって、プラグインされている各プラグインユニットを均一に強制空冷させることが出来る。
【０１２４】
付記１３の発明は、付記１２の通信装置において、
各モータファンユニットは、上面に、モータファンを囲むパッキンが組み込まれており、先端の上面が傾斜しているスライダ部材を有し
プラグインされた状態で、パッキンが圧縮され、上記スライダ部材が空気溜め部屋部材の下面に押し当たった状態となる構成としたものである。
【０１２５】
プラグインされたモータファンユニットからの風は、外に漏れないで空気溜め部屋部屋内に入る。よって、モータファンユニットが発生させた風が、プラグインユニットの空冷に無駄なく有効に利用される。
【０１２６】
付記１４の発明は、付記１２の通信装置において、
プラグインユニットと同じサイズであり、風が通り抜ける抵抗が、プラグインユニットと同じとされたフィラープラグインユニットを、上記サブラック装置の内部のうち、プラグインユニットがプラグイン実装されていない部分にプラグイン実装された構成としたものである。
【０１２７】
サブラック装置の内部の一部に空きができた場合には、この空きの部分の風の流れの抵抗は小さいため、モータファンユニットが発生させた風は、主にもにこの空きの部分を通過し、プラグインユニットの強制空冷の効果は低い。
【０１２８】
しかし、付記１４に係る発明のように、実装されたプラグインユニットの数が少ない場合にも、空いた場所にはフィラープラグインユニットを実装することによって、風の流れの抵抗が小さい部分が形成されず、よって、モータファンユニットが発生させた風は各プラグインユニット内に送り込まれ、プラグインユニットは効率的に強制空冷される。
【０１２９】
付記１５の発明は、バックワイヤリングボード側コネクタが実装してあるバックワイヤリングボードを有する箱形状のサブラック装置内に挿入されてプラグインユニット側コネクタを上記コネクタバックワイヤリングボード側コネクタと接続されて実装されるプラグインユニットにおいて、
フロント部材は、カードレバー組立体を有し、
カードレバー組立体は、カードレバー本体と、カードレバー本体に回動可能に支持されている補助レバーとよりなり、
補助レバーのフック部がフロント部材の凸部を係止している状態で、補助レバーのフック部は、補助レバーのカードレバー本体に対する回動中心に対してプラグインユニットの奥行き方向上に位置しており、
且つ、フック部は弾性変形する枠部に形成してある構成としたものである。プラグインユニットがラック装置から抜け出す力が作用しても、フック部は凸部から外れない。ロック状態に維持され、プラグインユニットの実装の信頼性は高い。
【符号の説明】
【０１３０】
１０  通信装置
１１  サブラック装置
１６  バックワイヤリングボード用枠板
１６ｂ  リブ
１６ｃ、１６ｄ  横リブ部
１６ｅ  細長い開口
２２  空気溜まり部屋形成部材
２３  空気溜まり部屋
３０  コネクタ
４０、１２０  通信用プラグインユニット
４１  プラグインユニット本体
４２  ケース組立体
４３  フロント部材
４３ｈ  凸部
４４  プリント板組立体
４６，４７  水平アーム組立体
４８，４９  垂直柱組立体
５２，５３  カードレバー組立体
８０  ケース
１０１、１０２  板ばね部材
１０１ａ，１０２ａ  Ｖ字形状の板ばね片
１２１  光電気変換モジュール
１４０  モータファンプラグインユニット
１４４  モータファン
１４５  パッキン
１４６  蓋部材
１７０  カードレバー本体
１８０  補助レバー
１８２  ノブ部
１８３  フック部
【図１】
0004642117.tif 000002
【図２】
0004642117.tif 000003
【図３】
0004642117.tif 000004
【図４】
0004642117.tif 000005
【図５】
0004642117.tif 000006
【図６】
0004642117.tif 000007
【図７】
0004642117.tif 000008
【図８】
0004642117.tif 000009
【図９】
0004642117.tif 000010
【図１０】
0004642117.tif 000011
【図１１】
0004642117.tif 000012
【図１２】
0004642117.tif 000013
【図１３】
0004642117.tif 000014
【図１４】
0004642117.tif 000015
【図１５】
0004642117.tif 000016
【図１６】
0004642117.tif 000017
【図１７】
0004642117.tif 000018
【図１８】
0004642117.tif 000019
【図１９】
0004642117.tif 000020
【図２０】
0004642117.tif 000021
【図２１】
0004642117.tif 000022
【図２２】
0004642117.tif 000023
【図２３】
0004642117.tif 000024
【図２４】
0004642117.tif 000025
【図２５】
0004642117.tif 000026
【図２６】
0004642117.tif 000027